(57)【要約】【課題】  洗濯物の黄ばみや防黴、防臭を防ぐという付加機能を付与する場合などにおいて、かかる付加機能を既設の送風や給水経路内に設けても、水を嫌う抗酸化成分を含有する材料に水が付着することを防止でき、送風や給水経路を別に設ける必要がなく、付加機能付与手段を設けたために洗濯乾燥機が大型化することがなく、コストアップすることも防げる洗濯乾燥機の送風および給水構造を得る。【解決手段】  洗濯乾燥機において、洗濯兼脱水槽内に供給する空気に揮発性の抗酸化成分を含有する材料などを混入して、供給する空気に付加機能を付与する付加機能付与手段を設け、この付加機能付与手段への空気取入口２５を空気や水の洗濯兼脱水槽内への供給路の出口部に小さな分岐路として形成し、前記空気取入口２５と付加機能付与手段との間に送風をさえぎることのない水切り部２４を設けた。【選択図】図１
2005073835.tif 000002
【特許請求の範囲】
【請求項１】
外箱と、この外箱内に洗濯兼脱水槽を回転自在に配設し、この洗濯兼脱水槽内に空気を供給する手段を備える洗濯乾燥機において、洗濯兼脱水槽内に供給する空気に揮発性の抗酸化成分を含有する材料などを混入して、供給する空気に付加機能を付与する付加機能付与手段を設け、この付加機能付与手段への空気取入口を空気や水の洗濯兼脱水槽内への供給路の出口部に小さな分岐路として形成し、前記空気取入口と付加機能付与手段との間に送風をさえぎることのない水切り部を設けたことを特徴とする洗濯乾燥機の送風および給水構造。
【請求項２】
前記水切り部は、空気取入口に開口し、かつ付加機能付与手段を備えるケースに形成され、空気取入口の下方に水案内用の溝条を設けるとともに前記ケース底部に水抜き孔を設けたことを特徴とする請求項１記載の洗濯乾燥機の送風および給水構造。
【請求項３】
前記水切り部には、前記ケースの底部に空気取入口の方向から水抜き孔に向かう水案内リブを突設し、ケースの底面を水抜き孔に向かって下降する傾斜面に形成したことを特徴とする請求項１または請求項２に記載の洗濯乾燥機の送風および給水構造。
【請求項４】
前記ケースは、ケース本体の上面開口を覆う蓋を備え、この蓋の下面で付加機能付与手段の近傍に位置させて水切り部の箇所に水の上面つたい防止リブを突設したことを特徴とする請求項１から請求項３のいずれかに記載の洗濯乾燥機の送風および給水構造。
【請求項５】
前記ケース本体と蓋とから互い違いに向かい合うリブを平行に突設してラビリンス構造による水の浸入防止手段を付加機能付与手段との境界部に位置させて水切り部に設けたことを特徴とする請求項１から請求項４のいずれかに記載の洗濯乾燥機の送風および給水構造。
【請求項６】
前記付加機能付与手段には、揮発性の抗酸化成分を含有する材料などの付加機能付与材料を収納するトレイを配設し、このトレイに通気孔を設けるとともに、トレイの下面に底上げ用の脚を突設してトレイ下面とケース本体底部との間に隙間を形成することを特徴とする請求項１から請求項５のいずれかに記載の洗濯乾燥機の送風および給水構造。
【発明の詳細な説明】
【技術分野】
【０００１】
この発明は、洗濯兼脱水槽内に空気を送風する手段を備える洗濯乾燥機に関するものである。
【背景技術】
【０００２】
洗濯乾燥機は、衣類の洗濯行程に続けて洗濯兼脱水槽内の衣類に温風を接触させて乾燥させる乾燥行程を備えるものであり、従来、例えば、複数のサスペンションで受け筒を垂下支持する筐体と、前記受け筒に内包され上部に流体バランサーを配設した洗濯兼脱水槽と、前記洗濯兼脱水槽の底部に回転自在に配されたパルセータと、前記洗濯兼脱水槽内に温風を吹き込む温風送風手段とを備え、前記洗濯兼脱水槽は、開閉自在の蓋を有する中仕切り板により上面を覆われ、前記受け筒と前記中仕切り板とを蛇腹状の伸縮自在チューブを垂直方向からそれぞれ連結することにより連通させたものがある（例えば、特許文献１参照）。
【特許文献１】特開平１１−２５３６８６号公報
【発明の開示】
【発明が解決しようとする課題】
【０００３】
前記のような洗濯兼脱水槽内に温風を吹き込む温風供給手段を備えた洗濯乾燥機において、さらに付加機能として、衣類の黄ばみや防黴、防臭を図るために、供給する空気の吹出口周辺などに、揮発性の抗酸化成分を含有する材料を搭載し、前記洗濯兼脱水槽内に抗酸化成分を拡散させる機能や、乾燥行程の攪拌時において洗濯物の静電気や過乾燥の防止を目的として洗濯物にごく少量の霧状の水を噴射させる機能を付加することも考えられる。
【０００４】
このような場合、付加機能を付与する手段の配設箇所として、これを別途新たに設けるのではなく、既設の送風の経路内に揮発性の抗酸化成分を含有する材料を搭載したり給水手段をまとめて設けることがあるが、このようにすると、抗酸化成分を有する材料は粉末状のものであり紙シートによってパッケージングされており、このパッケージに水分が付着すると粉末状材料が固まってしまい、空気中に混入しにくくなったり水中に流れだしてしまい洗濯物を汚してしまったり、さらに、パッケージのシートが濡れているとカビ等の発生の原因となるなどの不都合がある。
【０００５】
かかる不都合を解消するには、送風経路とは別の経路に抗酸化成分を含む材料を搭載したり、霧状の水を噴射する給水経路を別個に設ければよいが、このようにすると構造が複雑になるだけでなく、洗濯乾燥機全体が大型化し、また、コストアップともなる。
【課題を解決するための手段】
【０００６】
この発明は前記従来例の不都合を解消するため、請求項１に記載の発明は、外箱と、この外箱内に洗濯兼脱水槽を回転自在に配設し、この洗濯兼脱水槽内に空気を供給する手段を備える洗濯乾燥機において、洗濯兼脱水槽内に供給する空気に揮発性の抗酸化成分を含有する材料などを混入して、供給する空気に付加機能を付与する付加機能付与手段を設け、この付加機能付与手段への空気取入口を空気や水の洗濯兼脱水槽内への供給路の出口部に小さな分岐路として形成し、前記空気取入口と付加機能付与手段との間に送風をさえぎることのない水切り部を設けたことを特徴とする。
【発明の効果】
【０００７】
この発明の洗濯乾燥機の送風および給水構造は、送風や給水の経路内に揮発性の抗酸化成分を含有する材料を収納して、洗濯兼脱水槽内に送風する空気内に抗酸化剤を混入し洗濯物の黄ばみや防黴、防臭を防ぐという付加機能を付与する場合などにおいて、かかる付加機能を既設の送風や給水経路内に設けても、水を嫌う抗酸化成分を含有する材料に水が付着することを防止でき、送風や給水経路を別に設ける必要がなく、付加機能付与手段を設けたために洗濯乾燥機が大型化することがなく、コストアップすることも防げる。
【発明を実施するための最良の形態】
【０００８】
以下、図面についてこの発明の実施の形態を詳細に説明する。図１は、この発明の洗濯乾燥機の送風および給水構造の実施の形態を示す要部の平面図、図２は同上縦断正面図で、洗濯乾燥機の全体構造から図５について説明する。
【０００９】
外箱１内に水槽２を揺動自在に配設し、この水槽２内に底部に回転翼３を配設するとともに周壁に多数の脱水孔５を穿設した洗濯兼脱水槽４を設けた。
【００１０】
図中６は洗濯兼脱水槽４の上部に取り付けたバランサ、７は洗濯兼脱水槽４や回転翼３を回転させるためのモータを示す。また、前記外箱１の上部の開口に蓋８を備えたトップカバー９を取付ける。
【００１１】
かかる構成に加えて、洗濯兼脱水槽４内の衣類を乾燥させるための手段を設ける。温風の供給手段としては、外箱１の側部にフィルター１０を備えた吸気口１１を設け、この吸気口１１の下流側に位置させて外箱１内で水槽２との間にダクト１４を設け、このダクト１４内に送風ファン１２および加熱手段としてのヒータ１３を順次配設した。図中１５は洗濯兼脱水槽４内に霧状の水（ミスト）を供給するミストノズルを示す。
【００１２】
温風の排出手段としては、水槽２の上部開口に内蓋１６を設け、この内蓋１６にフィルター１７を備えた排出口１８を形成する。そして、この排出口１８の上方位置でトップカバー９に排気口１９を設ける。
【００１３】
ダクト１４の吹出口の下方に、衣類の汚れ残りや洗剤残りから発生する黄ばみを抑制し、また、衣類の防黴、防臭効果を期待する付加機能付与手段として、揮発性の抗酸化成分を含有する材料である抗酸化剤３６を搭載する。
【００１４】
この抗酸化剤３６は水が付着すると固まって空気中に良好に混入しなくなったり、水中に流れ出してしまったりすることから、水分を嫌うものであり、抗酸化剤３６の収納部である付加機能付与手段のエリア２１を送風路および給水路に連通させつつ、給水路からの水が浸入しないような構造とした。
【００１５】
図１はその一例を示し、図中２３はダクト１４の吹出口の下方に配設する扁平なケースを示し、このケース２３はトレイ形状のケース本体２３ａとこのケース本体２３ａの上部開口を覆う蓋２３ｂとで構成する。
【００１６】
ケース２３は、水切り部２４と、これに連成される付加機能付与手段のエリア２１とで構成され、水切り部２４の端部上面に付加機能付与手段のエリア２１への空気取入口２５を設ける。
【００１７】
この空気取入口２５は図３に示すように、ケース本体２３ａの側部を一部切り欠いて開口とし、さらにこの開口に対向させてケース本体２３ａの外側に側壁２５ａを立設するもので、この側壁２５ａが送風ダクト２０の開口２０ａ内の端に一部重合し、かつ側壁２５ａが送風ダクト２０と平行に位置することで、空気取入口２５は送風ダクト２０の小さな分岐路として形成される。
【００１８】
水切り部２４には、空気取入口２５の下方に水案内用の溝条２６を設けるとともに前記ケース本体２３ａの底部に水抜き孔２７を設け、さらに、空気取入口２５の方向から水抜き孔２７に向かう水案内リブ２８を前記ケース本体２３ａの底部に突設し、ケース本体２３ａの底面を水抜き孔２７に向かって下降する傾斜面２９に形成した。図４は溝条２６の例を示すもので、図４（ａ）に示すように側壁２５ａから離間させて形成しても、また、図４（ｂ）に示すように側壁２５ａの端に続けて形成してもよい。
【００１９】
前記水抜き孔２７は付加機能付与手段のエリア２１から最も離れた対向位置に形成し、水案内リブ２８は付加機能付与手段のエリア２１側に位置する空気取入口２５の端部から水抜き孔２７の方向に向けて配置する。
【００２０】
また、付加機能付与手段のエリア２１との境界部に近い箇所で、水切り部２４の蓋２３ｂの下面に、水が蓋２３ｂの下面を伝って付加機能付与手段のエリア２１の側に浸入することを防止するための上面つたい防止リブ３０を垂設する。
【００２１】
さらに、水切り部２４と付加機能付与手段のエリア２１との境界部に位置させて、ケース本体２３ａと蓋２３ｂとから互い違いに向かい合うリブ３１ａ、３１ｂを平行に突設してラビリンス構造による水の浸入防止手段を設ける。このラビリンス構造による水の浸入防止手段は前記上面つたい防止リブ３０と平行に配置されることになる。
【００２２】
付加機能付与手段のエリア２１には、揮発性の抗酸化成分を含有する材料などの付加機能付与材料を収納するトレイ３２を引き出し自在に配設し、このトレイ３２の底部に通気孔３３を設けるとともに、トレイ３２の下面に底上げ用の脚３４を突設してトレイ３２の下面とケース本体２３ａの底部との間に隙間を形成する。
【００２３】
また、付加機能付与手段のエリア２１の箇所で、ケース本体２３ａの底部に通気孔３５を形成する。なお、トレイ３２に設ける前記通気孔３３は水槽２内からの水が浸入しないようにケース本体２３ａの側に設ける通気孔３５とは位置をずらして対向しないようにする。
【００２４】
次に作用について説明する。トレイ３２には例えば揮発性の抗酸化成分を含有する材料などの付加機能付与材料を収納しておく。洗濯乾燥機の乾燥行程などで、送風ダクト２０から空気や霧状の水が洗濯兼脱水槽３内に噴出されるとき、その一部が空気取入口２５からケース２３の水切り部２４内に流入する。
【００２５】
このとき空気中に含まれている霧状の水分は側壁２５ａを伝って下方の溝条２６に流入し、ここからさらに水案内リブ２８にそって、また、ケース本体２３ａの底部の傾斜面２９にそって流れ、水抜き孔２７に至ってここからケース２３外に排出される。この場合、水抜き孔２７は水を嫌う材料が収納されている付加機能付与手段のエリア２１から最も離れた位置に設けてあるから、ケース本体２３ａの底部に落下した水分が前記エリア２１の方向に水が流入することを防止できる。
【００２６】
ケース２３の蓋２３ｂに付着した水分は、上面つたいリブ３０に阻まれて付加機能付与手段のエリア２１の方向に流れることはない。
【００２７】
水抜き孔２７や上面つたいリブ３０によって阻止しきれずに付加機能付与手段のエリア２１の方向に流れようとする水分は、前記付加機能付与手段のエリア２１と水切り部２４との境界部に設けてあるラビリンス構造のリブ３１ａ、３１ｂによってエリア２１への浸入が阻止される。
【００２８】
このように水抜き孔２７、上面つたい防止リブ３０およびラビリンス構造の３重の構造によって送風ダクト２０からケース２３に取り込まれた水分を含む空気は、空気のみが付加機能付与手段のエリア２１に送られ、水分は水切り部２４で回収されケース２３外に排出される。
【００２９】
付加機能付与手段のエリア２１に水分が浸入したとしても、ここに配設しているトレイ３２は、脚３４で底上げしてあるとともに底部に通気孔３３が設けてあるから、通気性がよく、水槽２の側からの水も付着しにくい。よって、トレイ３２に収納してある付加機能付与材料に水分が付着してこれが固まってしまったり水中へ流れでたりすることを防げるとともにカビの発生を防止することができる。
【００３０】
そして、付加機能付与手段のエリア２１に供給する空気は、空気取入口２５からの少量のものになるから、付加機能付与材料に対しては十分な量の空気が供給され、洗濯兼脱水槽３内に供給される風量が大きく低下することも防げる。
【００３１】
なお、付加機能付与手段のエリア２１の方向に水が浸入することを阻止する手段は、前記のように水抜き孔２７、上面つたい防止リブ３０およびラビリンス構造の３重の構造とする必要はなく、いずれか１つの阻止手段を設けただけのもの、あるいは２つの手段を設けたものでもよい。
【図面の簡単な説明】
【００３２】
【図１】この発明の洗濯乾燥機の送風および給水構造の実施の形態を示す平面図である。
【図２】この発明の洗濯乾燥機の送風および給水構造の実施の形態を示す縦断正面図である。
【図３】この発明の洗濯乾燥機の送風および給水構造の実施の形態を示す要部である空気取入口の縦断側面図である。
【図４】この発明の洗濯乾燥機の送風および給水構造の実施の形態を示す要部である空気取入口の一例を示す斜視図である。
【図５】この発明の送風および給水構造を備える洗濯乾燥機の示す縦断正面図である。
【符号の説明】
【００３３】
１  外箱                        ２  水槽
２ａ  水槽カバー
３  回転翼                      ４  洗濯兼脱水槽
５  脱水孔                      ６  バランサ
７  モータ                      ８  蓋
９  トップカバー                １０  フィルター  
１１  吸気口                    １２  送風ファン
１３  ヒータ                    １４  ダクト
１５  ミストノズル              １６  内蓋
１７  フィルター                １８  排出口
１９  排気口
２１  付加機能付与手段のエリア  ２２  送風ファン
２３  ケース                    ２３ａ  ケース本体
２３ｂ  蓋                      ２４  水切り部
２５  空気取入口                ２５ａ  側壁
２６  溝条                      ２７  水抜き孔
２８  水案内リブ                ２９  傾斜面
３０  上面つたい防止リブ        ３１ａ、３１ｂ  リブ
３２  トレイ                    ３３  通気孔
３４  脚                        ３５  通気孔
３６  抗酸化剤
【図１】
2005073835.tif 000003
【図２】
2005073835.tif 000004
【図３】
2005073835.tif 000005
【図４】
2005073835.tif 000006
【図５】
2005073835.tif 000007